(57)【要約】【課題】本発明は加湿装置に関するもので、加湿能力の更成る向上をすることができるものである。【解決手段】吸気口２と排気口３を有する本体ケース１と、この本体ケース１内に空気清浄フィルター４と、加湿手段７と、送風手段５とを備え、吸気口２の下流側に、空気清浄フィルター４、加湿手段７、送風手段５を順次設けた構成とし、空気清浄フィルター４と加湿手段７との間には、空気清浄フィルター４と加湿手段７との風路の一部を塞ぐ閉塞面３８を備え、加湿手段７は、水を溜める水槽と、吸い上げ式の加湿フィルター部１５と、この加湿フィルター部１５を固定すると共に水槽に回転自在に装着可能なフィルター枠部１６と、このフィルター枠部１６を回転させる回転手段１７とからなり、電動機３５は、フィルター枠部１６の外方で、閉塞面３８に設けられたことを特徴とするものである。【選択図】図２
2013083367.tif 000002
【特許請求の範囲】
【請求項１】
吸気口と排気口を有する本体ケースと、この本体ケース内に空気清浄手段と、加湿手段と、送風手段とを備え、前記吸気口の下流側に、前記空気清浄手段、前記加湿手段、前記送風手段を順次設けた構成とし、前記空気清浄手段と前記加湿手段との間には、前記空気清浄手段と前記加湿手段との風路の一部を塞ぐ閉塞面を備え、前記加湿手段は、水を溜める水槽と、この水槽内の水に下端が浸漬される吸い上げ式の加湿フィルター部と、この加湿フィルター部を固定すると共に前記水槽に回転自在に装着可能なフィルター枠部と、このフィルター枠部を回転させる回転手段とからなり、この回転手段は、前記フィルター枠部に設けた第１のギア部と、この第１のギア部を第２のギア部を介して回転させる電動機からなり、前記送風手段は、スクロール形状のケーシング部と、このケーシング部に固定したモーター部と、このモーター部によって回転する羽根部とから構成し、前記ケーシング部は、上方には吐出口を有し、前記加湿フィルター部側の側面には吸込口を備え、この吸込口は、加湿フィルター部に対向し、前記電動機は、前記フィルター枠部の外方で、前記閉塞面に設けられたことを特徴とする加湿機能付空気清浄装置。
【請求項２】
前記加湿フィルター部と前記吸込口との距離は、前記加湿フィルター部と前記空気清浄手段との距離より長いことを特徴とする請求項１の加湿機能付空気清浄装置。
【請求項３】
前記第２のギア部は、複数の開口を有することを特徴とした請求項１または２に記載の加湿機能付空気清浄装置。
【発明の詳細な説明】
【技術分野】
【０００１】
本発明は、空気を清浄、および加湿することのできる加湿機能付空気清浄装置に関する。
【背景技術】
【０００２】
従来のこの種の加湿機能付空気清浄装置の構成は、以下のようになっていた。
【０００３】
すなわち、従来の物においては、吸気口と排気口を有する本体ケースと、この本体ケース内に加湿手段と送風手段とを備え、前記吸気口の下流側に、前記加湿手段、前記送風手段を順次設けた構成とし、前記加湿手段は水を溜める水槽と、この水槽内の水に下端が浸漬される吸い上げ式の加湿フィルター部と、この加湿フィルター部を固定すると共に前記水槽に回転自在に装着可能なフィルター枠部と、このフィルター枠部を回転させる回転手段とからなり、この回転手段は、前記フィルター枠部に設けた第１のギア部と、この第１のギア部を第２のギア部を介して回転させる電動機からなり、前記送風手段は、スクロール形状のケーシング部と、このケーシング部に固定したモーター部と、このモーター部によって回転する羽根部とから構成し、前記ケーシング部は、上方には吐出口を有し、前記加湿フィルター部側の側面には吸込口を備え、この吸込口は、加湿フィルター部に対向し、前記電動機の一部は、前記加湿手段の前記フィルター枠部と前記送風手段の前記吸込口との間に位置すると共に前記電動機は、前記送風手段の前記吸込口の近傍に位置する構成となっていた。
【０００４】
（例えば、これに類似する先行文献は下記特許文献１に記載されている。）
【先行技術文献】
【特許文献】
【０００５】
【特許文献１】特開２００９−１８２１６１号公報
【発明の概要】
【発明が解決しようとする課題】
【０００６】
上記従来例における課題は、加湿能力の更なる向上ということであった。
【０００７】
すなわち、従来の物においては、送風手段の吸込口は、加湿フィルター部に対向し、電動機の一部は、加湿手段の加湿フィルター部と送風手段の吸込口との間に位置すると共に電動機は、送風手段の吸込口の近傍に位置する構成となっていた。
【０００８】
つまり、送風手段によって、本体ケースの吸気口から吸い込まれた空気は、加湿フィルター部を通過し、送風手段であるケーシング部の吸込口へ吸い込まれる。ここで、電動機は送風手段の吸込口の近傍に位置するので、電動機によってケーシング部の吸込口における空気の通過量が低下し、結果として、加湿量も低下するものであった。
【０００９】
結果として、加湿能力の更なる向上させることが困難であった。
【課題を解決するための手段】
【００１０】
そしてこの目的を達成するために本発明は、吸気口と排気口を有する本体ケースと、この本体ケース内に空気清浄手段と、加湿手段と、送風手段とを備え、前記吸気口の下流側に、前記空気清浄手段、前記加湿手段、前記送風手段を順次設けた構成とし、前記空気清浄手段と前記加湿手段との間には、前記空気清浄手段と前記加湿手段との風路の一部を塞ぐ閉塞面を備え、前記加湿手段は、水を溜める水槽と、この水槽内の水に下端が浸漬される吸い上げ式の加湿フィルター部と、この加湿フィルター部を固定すると共に前記水槽に回転自在に装着可能なフィルター枠部と、このフィルター枠部を回転させる回転手段とからなり、この回転手段は、前記フィルター枠部に設けた第１のギア部と、この第１のギア部を第２のギア部を介して回転させる電動機からなり、前記送風手段は、スクロール形状のケーシング部と、このケーシング部に固定したモーター部と、このモーター部によって回転する羽根部とから構成し、前記ケーシング部は、上方には吐出口を有し、前記加湿フィルター部側の側面には吸込口を備え、この吸込口は、加湿フィルター部に対向し、前記電動機は、前記フィルター枠部の外方で、前記閉塞面に設けられたことを特徴としたものであり、これにより、初期の目的を達成するものである。
【発明の効果】
【００１１】
以上のように本発明は、吸気口と排気口を有する本体ケースと、この本体ケース内に空気清浄手段と、加湿手段と、送風手段とを備え、前記吸気口の下流側に、前記空気清浄手段、前記加湿手段、前記送風手段を順次設けた構成とし、前記空気清浄手段と前記加湿手段との間には、前記空気清浄手段と前記加湿手段との風路の一部を塞ぐ閉塞面を備え、前記加湿手段は、水を溜める水槽と、この水槽内の水に下端が浸漬される吸い上げ式の加湿フィルター部と、この加湿フィルター部を固定すると共に前記水槽に回転自在に装着可能なフィルター枠部と、このフィルター枠部を回転させる回転手段とからなり、この回転手段は、前記フィルター枠部に設けた第１のギア部と、この第１のギア部を第２のギア部を介して回転させる電動機からなり、前記送風手段は、スクロール形状のケーシング部と、このケーシング部に固定したモーター部と、このモーター部によって回転する羽根部とから構成し、前記ケーシング部は、上方には吐出口を有し、前記加湿フィルター部側の側面には吸込口を備え、この吸込口は、加湿フィルター部に対向し、前記電動機は、前記フィルター枠部の外方で、前記閉塞面に設けられたことを特徴としたものであり、加湿能力の更なる向上をさせることができるものである。
【００１２】
すなわち、送風手段の吸込口は、加湿フィルター部に対向し、電動機は、フィルター枠部の外方で、閉塞面に設けられたものである。
【００１３】
これにより、送風手段によって、本体ケースの吸気口から吸い込まれた空気は、加湿フィルター部を通過し、送風手段であるケーシング部の吸込口へ吸い込まれる。ここで、電動機は、フィルター枠部の外方で、閉塞面に設けられたものである。つまり、電動機によるケーシング部の吸込口における空気の通過量の低下が抑制され、結果として、加湿量の低下も抑制されるものであった。
【００１４】
これらの結果により、加湿能力の更なる向上をさせることができるものである。
【図面の簡単な説明】
【００１５】
【図１】本発明の実施の形態１の加湿機能付空気清浄装置の斜視図
【図２】同実施の形態１の加湿機能付空気清浄装置の概略断面を示す図
【図３】同実施の形態１の加湿フィルター部とフィルター枠部を示す斜視図
【図４】同実施の形態１の加湿手段の斜視図
【図５】同実施の形態１の風路を示す図
【発明を実施するための形態】
【００１６】
以下、本実施形態を添付図面を用いて説明する。
【００１７】
（実施の形態１）
図１から図５に示すように、吸気口２と排気口３を有する本体ケース１と、この本体ケース１内に設けられた空気清浄手段と、送風手段５と、加湿手段装着部６と、この加湿手段装着部６に着脱自在な加湿手段７とを備えている。
【００１８】
本体ケース１は、縦長の箱形状で、本体ケース１における前面側の側面下部には、横長四角形状の吸気口２を有し、本体ケース１における天面には、横長四角形状の排気口３を備えている。この吸気口２と排気口３とは、送風手段５によって送風される風路によって連通している。
【００１９】
空気清浄手段は、縦長箱形状の空気清浄フィルター４で、濾材が蛇腹形状に折られたものであり、本体ケース１の吸気口２の風路風下側に設けられている。
【００２０】
送風手段５は、空気清浄フィルター４と排気口３との間の風路に設けている。送風手段５は、スクロール形状のケーシング部８と、このケーシング部８に固定されたモータ部９と、このモータ部９によって回転する羽根部１０とから構成している。ケーシング部８は、天面に横長四角形状の吐出口１１と、本体ケース１における前面側の側面側、つまり空気清浄フィルター４に対向した側面に円形状の吸込口１２を備えている。
【００２１】
加湿手段装着部６は、空気清浄フィルター４と送風手段５との間の風路に設けている。具体的には、空気清浄フィルター４と送風手段５のケーシング部８吸込口１２を有する側面との間の空間部１３で、この空間部１３は、本体ケース１における一方側の側面から内方に伸びた縦断面形状が縦長四角形状である縦長四角直方体の穴である。この穴の開口には、給水タンク４１が位置するものである。
【００２２】
加湿手段７は、水槽部１４と、加湿フィルター部１５と、フィルター枠部１６と、回転手段１７とから構成されている。
【００２３】
水槽部１４は、上面が開口した細長四角形状で、加湿フィルター部１５と、フィルター枠部１６とが装着される第１の水槽部分１９と、上面が開口した四角形状で、給水タンク４１が装着される第２の水槽部分２０とから形成している。これら第１の水槽部分１９と第２の水槽部分２０とは連通口２１で連通しており、給水タンク４１より、第２の水槽部分２０に供給された水は、連通口２１を介して、第１の水槽部分１９に流れこみ、この第１の水槽部分１９に一定量の水が供給されるものである。
【００２４】
第１の水槽部分１９は、本体ケース１における前面側の側面上端部と、本体ケース１における背面側の側面上端部とから伸びた２本の縦長四角平板形状の支持部分２２を備えている。これら支持部分２２の上部には、対向して設けた２つの軸受部分２３を有する。これら軸受部分２３は、それぞれの支持部分２２の内面から内方へ突出しているリブであり、これらのリブを水平視すると、上方が開口したＵ字形状である。
【００２５】
加湿フィルター部１５は、円板形状で、複数の繊維によって形成し、毛細管現象で水を吸い上げる自吸い式タイプである。加湿フィルター部１５の周縁部の一部が、第１の水槽部分１９の水に浸漬するように、フィルター枠部１６によって、第１の水槽部分１９に回転自在に装着されている。
【００２６】
フィルター枠部１６は、加湿フィルター部１５の円形の一方側面側と周縁部とに位置する第１のフィルター枠部２４と、加湿フィルター部１５の円形の他方側面側と周縁部とに位置する第２のフィルター枠部２５とから形成している。
【００２７】
第１のフィルター枠部２４は、加湿フィルター部１５の円形の一方側面側の中心から外方へ伸びた円柱形状の軸部分である第１の軸部分２６と、この第１の軸部分２６から放射線上に伸びた複数の細長四角平板形状の第１の直線状桟部分２７と、これら第１の直線状桟部分２７を連結する複数の半径が異なる円形リング形状の第１の円形リング状桟部分２８と、加湿フィルター部１５の周縁外周に位置すると共に第１の直線状桟部分２７の先端で連結した円筒形状の第１の外周筒部分２９とから形成している。
【００２８】
第２のフィルター枠部２５は、加湿フィルター部１５の円形の他方側面側の中心から外方へ伸びた円柱形状の軸部分である第２の軸部分３０と、この第２の軸部分３０から放射線上に伸びた複数の細長四角平板形状の第２の直線状長桟部分３１と、これら第２の直線状長桟部分３１を連結する円形リング形状の第２の円形リング状桟部分３２と、加湿フィルター部１５の周縁外周に位置する円筒形状の第２の外周筒部分３３と、この第２の外周筒部分３３と第２の円形リング状桟部分３２とを連結する複数の細長四角平板形状の第２の直線状短桟部分３４とから形成している。第１の外周筒部分２９の内径は、第２の外周筒部分３３の内径より小さく、第２の外周筒部分３３の内面に、第１の外周筒部分２９の外面が嵌るものである。
【００２９】
ここで、フィルター枠部１６を、フィルター枠部１６の軸部分である第１の軸部分２６と、第２の軸部分３０とを、第１の水槽部分１９の軸受部分２３の上方から挿入し所定距離下げることにより回転自在に支持される。つまり、Ｕ字形状のリブの内径は、フィルター枠部１６の軸部分の外径より大きいので、軸受部分２３であるＵ字形状のリブの上方開口から、軸部分である第１の軸部分２６と第２の軸部分３０とを挿入し、Ｕ字形状のリブに沿って所定距離下げると、軸受部分２３であるＵ字形状のリブの底である円弧部分と、第１の軸部分２６と第２の軸部分３０の外周の一部が当たり、回転自在に支持される。
【００３０】
回転手段１７は、本体ケース１の設けられた電動機３５と、この電動機３５によって回転する歯車である第１のギア３６と、第２のフィルター枠部２５の第２の円形リング状桟部分３２に設けた歯車である第２のギア３７とから形成している。
【００３１】
空気清浄手段と加湿手段７との間には、空気清浄手段と加湿手段７との風路の一部を塞ぐ閉塞面３８を備えている。この閉塞面３８の上部には、第１の連通路３９を有し、閉塞面３８の下部には、第２の連通路４０を備えている。この、第１の連通路３９を流れる空気の大部分は、加湿手段７を通過せずに送風手段５へ流れ込む。ここで、第２の連通路４０の開口面積は、第１の連通路３９の開口面積より大きいものであり、加湿手段７の加湿フィルター部１５、送風手段５の吸込口１２に対向するものである。これにより、加湿フィルター部１５へ流れる風量を増やすことができる。
【００３２】
この閉塞面３８の上部には、空気清浄手段と送風手段５とを連通する第１の連通路３９を有し、閉塞面３８の下部には、空気清浄手段と加湿手段７とを連通する第２の連通路４０を備えている。この第２の連通路４０の開口面積は、第１の連通路３９の開口面積より大きいものであり、加湿手段７の加湿フィルター部１５、送風手段５の吸込口１２に対向するものである。これにより、加湿フィルター部１５へ流れる風量を増やすことができる。
【００３３】
以上の構成における加湿動作について説明する。送風手段５によって、本体ケース１の吸気口２から吸い込まれた室内の空気は、空気清浄手段を介し、第１の連通路３９を通過する一部の空気と、第２の連通路４０の多くの空気は、加湿手段７の加湿フィルター部１５へ送風される。ここで、送風された空気が、水を含んだ加湿フィルター部１５を通過することで、加湿され、この加湿された空気が、本体ケース１の排気口３から室内へ送風され、室内を空気清浄および加湿するものである。また、第１の連通路３９を通過する多くの空気と、第２の連通路４０の一部の空気は、加湿フィルター部１５を通過せず、本体ケース１の排気口３から室内へ送風され、室内を空気清浄するものである。
【００３４】
本実施形態において特徴は、回転手段１７と閉塞面３８とにある。すなわち、送風手段５の吸込口１２は、加湿フィルター部１５に対向し、電動機３５は、フィルター枠部１６の外方で、閉塞面３８に設けられたものである。
【００３５】
これにより、送風手段５によって、本体ケース１の吸気口２から吸い込まれた空気は、加湿フィルター部１５を通過し、送風手段５であるケーシング部８の吸込口へ吸い込まれる。ここで、電動機３５は、フィルター枠部１６の外方で、閉塞面３８に設けられたものである。つまり、電動機３５によるケーシング部８の吸込口１２における空気の通過量の低下が抑制され、結果として、加湿量の低下も抑制されるものであった。
【００３６】
これらの結果により、加湿能力の更なる向上をさせることができるものである。
【００３７】
また、第１の連通路３９を通過する多くの空気は、加湿フィルター部１５を通過せず、ケーシング部８本体ケース１の排気口３から室内へ送風され、室内を空気清浄するものである。ここで、電動機３５は、閉塞面３８に設けられたものであるので、第１の連通路３９を通過する一部の空気は、電動機３５とケーシング部８との間を通過し易くなる。
【００３８】
また、加湿フィルター部１５と吸込口１２との距離は、加湿フィルター部１５と空気清浄手段との距離より長いものである。すなわち、ケーシング部８の吸込口１２の開口面積は、第１の連通路３９の開口面積と第２の連通路４０の開口面積との和より小さいので、ケーシング部８の吸込口１２での風速は、第１の連通路３９および第２の連通路４０での風速より大きいものである。ここで、加湿フィルター部１５と吸込口１２との距離は、加湿フィルター部１５と空気清浄手段との距離より長いので、加湿フィルター部１５と吸込口１２との間での乱流の発生が抑制される。
【００３９】
また、第２のギア３７は、複数の開口４２を有するものである。これにより、第２のギア３７での空気抵抗を抑制することができる。
【産業上の利用可能性】
【００４０】
以上のように本発明は、吸気口と排気口を有する本体ケースと、この本体ケース内に空気清浄手段と、加湿手段と、送風手段とを備え、前記吸気口の下流側に、前記空気清浄手段、前記加湿手段、前記送風手段を順次設けた構成とし、前記空気清浄手段と前記加湿手段との間には複数の開口を有する第１の格子部を有し、この第１の格子部の上部には、前記開口の一部を塞いだ閉塞面を備え、前記加湿手段は、水を溜める水槽と、この水槽内の水に下端が浸漬される吸い上げ式の加湿フィルター部と、この加湿フィルター部を固定すると共に前記水槽に回転自在に装着可能なフィルター枠部と、このフィルター枠部を回転させる回転手段とからなり、この回転手段は、前記フィルター枠部に設けた第１のギア部と、この第１のギア部を第２のギア部を介して回転させる電動機からなり、前記送風手段は、スクロール形状のケーシング部と、このケーシング部に固定したモーター部と、このモーター部によって回転する羽根部とから構成し、前記ケーシング部は、上方には吐出口を有し、前記加湿フィルター部側の側面には吸込口を備え、この吸込口は、加湿フィルター部に対向し、前記電動機は、前記フィルター枠部の外方で、前記閉塞面に設けられたことを特徴としたものであり、加湿能力の更なる向上をさせることができるものである。
【００４１】
すなわち、送風手段の吸込口は、加湿フィルター部に対向し、電動機は、フィルター枠部の外方で、閉塞面に設けられたものである。
【００４２】
これにより、送風手段によって、本体ケースの吸気口から吸い込まれた空気は、加湿フィルター部を通過し、送風手段であるケーシング部の吸込口へ吸い込まれる。ここで、電動機は、フィルター枠部の外方で、閉塞面に設けられたものである。つまり、電動機によるケーシング部の吸込口における空気の通過量の低下が抑制され、結果として、加湿量の低下も抑制されるものであった。
【００４３】
これらの結果により、加湿能力の更なる向上をさせることができるものである。
【００４４】
従って、家庭用や事務所用などの、加湿機能付空気清浄装置として活用が期待されるものである。
【符号の説明】
【００４５】
１    本体ケース
２    吸気口
３    排気口
４    空気清浄フィルター
５    送風手段
６    加湿手段装着部
７    加湿手段
８    ケーシング部
９    モータ部
１０  羽根部
１１  吐出口
１２  吸込口
１３  空間部
１４  水槽部
１５  加湿フィルター部
１６  フィルター枠部
１７  回転手段
１９  第１の水槽部分
２０  第２の水槽部分
２１  連通口
２２  支持部分
２３  軸受部分
２４  第１のフィルター枠部
２５  第２のフィルター枠部
２６  第１の軸部分
２７  第１の直線状桟部分
２８  第１の円形リング状桟部分
２９  第１の外周筒部分
３０  第２の軸部分
３１  第２の直線状長桟部分
３２  第２の円形リング状桟部分
３３  第２の外周筒部分
３４  第２の直線状短桟部分
３５  電動機
３６  第１のギア
３７  第２のギア
３８  閉塞面
３９  第１の連通路
４０  第２の連通路
４１  給水タンク
４２  開口
【図１】
2013083367.tif 000003
【図２】
2013083367.tif 000004
【図３】
2013083367.tif 000005
【図４】
2013083367.tif 000006
【図５】
2013083367.tif 000007